(57)【特許請求の範囲】
【請求項１】
プラスチックシートからなるシート状体の重合部を固定するシート状体の重合部固定構造であって、
上記重合部の一方のシート状体に、重合のために押し潰すことによって天板が平たいまま真っ直ぐに下降し、周壁が外方に向けて略均等に広がるように変形されて係止片が形成される中空柱状をなす潰し用凸部を形成し、
他方のシート状体には、上記潰し用凸部と嵌合し、潰し用凸部の押し潰しにより上記係止片が係止する中空柱状の穴部を形成し、
上記潰し用凸部の天板の肉厚を、潰し用凸部の周壁ならびに上記穴部の天板および周壁の肉厚よりも厚く設定した
シート状体の重合部固定構造。
【請求項２】
前記潰し用凸部と穴部の高さを、それらの天板の肉厚に対して３〜１０倍の値に設定した
請求項１に記載のシート状体の重合部固定構造。
【請求項３】
前記穴部の平均肉厚を、前記潰し用凸部の平均肉厚よりも薄く設定した
請求項１または請求項２に記載のシート状体の重合部固定構造。
【発明の詳細な説明】
【０００１】
【発明の属する技術分野】
この発明は、プラスチックシートからなる包装容器などに適用できる、シート状体の重合部固定構造の技術分野に属する。
【０００２】
【従来の技術】
プラスチックシートからなる包装容器を閉じる構造には、実開昭６２−１０５１１２号に代表されるような、２つのハット形の突起体を嵌合し合うものがある。すなわち、図１６に示したように、被包装物を収納する収納部１０１を有した本体側１０２とこれを閉塞する蓋体側１０３とをヒンジ部１０４を介して真空成形により一体成形し、本体側１０２と蓋体側１０３との反ヒンジ部側に重合部１０５を形成し、この重合部１０５に、それぞれ異なる方向に突出する突起体１０６，１０７を形成し、蓋体側１０３に形成した突起体１０６が本体側１０２に形成した突起体１０７の内側に嵌合するように構成されている。
【０００３】
このような嵌合を行なえば、容易には外れない程度に強く固定することができるものの、分離方向に強力な力を加えれば固定を解除することが可能である。つまり、顧客が店内でも開封することができ、商品のすり替えなど不正が働かれる場合がある。
【０００４】
一度行なった固定状態を維持し、上述のようなことを防止するため、超音波溶着や高周波溶着によりシート同士を接合する方法が取られることがあったが、シートを溶かすため外観が悪い上、加熱手段が必要でコストも手間も掛かっていた。
【０００５】
【解決すべき課題及びそのための手段】
そこでこの発明は、溶着の場合のように見劣りがすることなく、強固に固定状態を維持でき、手間もコストも掛からないような、シート状体の重合部固定構造の提供を課題とする。
【０００６】
そのための手段は、プラスチックシートからなるシート状体の重合部を固定するシート状体の重合部固定構造であって、上記重合部の一方のシート状体に、重合のために押し潰すことによって天板が平たいまま真っ直ぐに下降し、周壁が外方に向けて略均等に広がるように変形されて係止片が形成される中空柱状をなす潰し用凸部を形成し、他方のシート状体には、上記潰し用凸部と嵌合し、潰し用凸部の押し潰しにより上記係止片が係止する中空柱状の穴部を形成し、上記潰し用凸部の天板の肉厚を、潰し用凸部の周壁ならびに上記穴部の天板および周壁の肉厚よりも厚く設定したシート状体の重合部固定構造であることを特徴とする。
【０００７】
なお、上記潰し用凸部と穴部の高さを、それらの天板の肉厚に対して３〜１０倍の値に設定したり、上記穴部の平均肉厚を、上記潰し用凸部の平均肉厚よりも薄く設定したりするとよい。
【０００８】
【作用及び効果】
すなわち、上述の構成によれば、固定状態では、潰し用凸部が押し潰されることによって天板が平たいまま真っ直ぐに下降し、周壁が外方に向けて略均等に広がるように変形されて形成された係止片が、穴部に係止しているので、強固な固定状態を得ることができる。しかも、無理に引っ張って固定状態を解除したならば、それがたった一度のことであっても元通りにすることは出来ないので、商品のすり替えなどの不正が働かれることを防止できる。そのうえ、溶着する場合に比して見栄えが良く、手間もコストを掛からない。
【０００９】
また、従来はホッチキスを用いて行なっていた、例えば食品を収納するパックの固定でも、ペンチ、あるいはホッチキスのような形態の専用の治具を用いてこの固定方法を行なうようにすれば、ステープルやテープなど他の物が不要となるので、経費の削減も可能となる。
【００１０】
さらに、潰し用凸部と穴部とを中空柱状に形成しているので、請求項２や請求項３のように肉厚を変えることで、潰し用凸部に剛性を与え、潰し用凸部の穴部に対する嵌合を容易に行なわせることができる。しかも、潰し用凸部を押し潰したときには、潰し用凸部を外側により広く広げ、充分な係止状態を得られる係止片を作ることができる。
【００１１】
【実施例】
この発明の一実施例を以下図面に基づいて詳述する。
図１は、プラスチックシートからなる包装容器１の一例を示す斜視図である。この包装容器１は、中間のヒンジ部２を境にして２つ折りし、周縁の重合部３の重合状態を固定することで被包装物（図示せず）の包装を行なうものである。
【００１２】
すなわち、ヒンジ部２の左右に、第１シート部４と第２シート部５を有し、これらの少なくとも一方に被包装物を収納する収納部６を形成している。そして収納部６の外周に対応する上述の重合部３には、吊下孔７のほか、潰し用凸部８…と穴部９…とを適宜形成している。
これら潰し用凸部８と穴部９は、相互に嵌合するものであるとともに、嵌合状態で、図２に示したように押し潰され、重合状態を固定するものである（図３参照）。重合固定時に第２シート部５が表側に位置するならば、第１シート部４には潰し用凸部８のみを形成し、第２シート部５には穴部９のみを形成するほうが、固定時に外観が良好である点で好ましい。
【００１３】
潰し用凸部８と穴部９の構造は、次のようである。潰し用凸部８と穴部９は図４に示したように中空柱状で、熱成形（真空・圧空成形を含む）や圧縮成形、射出成形等の成形加工時に同時に形成する。このとき、潰し用凸部８や穴部９の高さまたは深さｂは、天板Ｘの肉厚ａの３倍〜１０倍程度に設定するのが望ましい（図４参照）。これは３倍より小さいと嵌合が甘くなり、１０倍より大きいと成形した時に天板Ｘが薄くなって、天板Ｘが変形するなど、嵌合が行ないにくいからである。また、図示したように潰し用凸部８と穴部９とを相互に嵌合対応する形状寸法に形成しておくと、嵌合状態が維持でき、仮止めとなるので、上述の押し潰し過程で外れてしまうことがなく、作業が容易になる点で、好ましい。
【００１４】
そしてさらに好ましくは、図５に示したように潰し用凸部８と穴部９とで部位によって厚みを変えるのがよい。これは、嵌合を容易にするとともに、潰し用凸部８の押し潰しが良好に行なえるようにするためである。具体的に説明すると、穴部９を構成する部位（天板Ｘ１  、周壁Ｙ１  ）の平均肉厚を、潰し用凸部８を構成する部位（天板Ｘ２  、周壁Ｙ２  ）の平均肉厚よりも薄く設定する。これにより、潰し用凸部８に剛性が生まれるので、袋状の穴部９に対する嵌合が容易になる。しかも、押し潰しを行なうときには、抵抗が小さくなるので、潰し用凸部８がより広く外側へ広がり、大きな係止片１０が得られる。
【００１５】
また、潰し用凸部８の平均肉厚を穴部９の平均肉厚よりも厚くするとよい訳であるが、潰し用凸部８の天板Ｘ２  の肉厚ａ２  を、他の部位（周壁Ｙ２  の肉厚ｃ２  や、穴部９の天板Ｘ１  の肉厚ａ１  およびその周壁Ｙ１  の肉厚ｃ１  ）よりも厚く設定するのが一番よい。これは、天板Ｘ２  の肉厚ａ２  が厚く、面方向の剛性があることによって、穴部９の口縁に当接したときに変形してしまうことがないからで、押し潰したときには、天板Ｘ２  が平たいまま真っ直ぐに下降し、周壁Ｙ２  を外側へ押出して、しっかりと係止する係止片１０を作ってくれるからである。このような厚みの設定を行なうには、潰し用凸部８はオス型の金型で、穴部９は、メス型の金型で形成するとよい。
【００１６】
このように構成した包装容器１で被包装物を包装するには、被包装物を収納部６に収納した後、中間のヒンジ部２を境に２つ折りし、第１シート部４と第２シート部５の重合部３を重合するとともに、潰し用凸部８と穴部９とを相互に嵌合する。続いて、図２に示したように、穴部９の上から潰し用凸部８を押し潰し、この潰し用凸部８が外方に広がるように変形されて形成される係止片１０を、穴部９の基部に係止して相互のシート部４，５を固定する。このとき潰し用凸部８と穴部９の周壁Ｙ２  ，Ｙ１  がジャバラ状に相互に噛み合うことによっても強固な固定になる。上述の押し潰しは、ペンチ状のものやハンマ状のもので行なうほか、工業的には、例えばベルトを張架して構成されたプレス機で上下方向に真っ直ぐにプレスしたり、エキセン装置を内蔵したプレス機で回転を加えながらプレスしたりして行なえばよい。
【００１７】
上述のようにして重合状態を固定すると、潰し用凸部８が押し潰されることによって形成された係止片１０が、穴部９に係止していることになるので、強固な固定状態を得ることができる。しかも、無理に引っ張って固定状態を解除したならば、それがたった一度のことであっても元通りにすることは出来ないので、商品のすり替えなどの不正が働かれることを防止できる。そのうえ、溶着で固定する場合に比して見栄えが良く、手間もコストも掛からない。また接着で固定する場合に比してもコストを低く抑えられ、家内工業的にも、大きな機械を必要とせず、簡単に包装が行なえる。さらに、ホッチキスやテープを用いて行なっていた包装に代えて採用することで、ステープルやテープなどの消耗品の分、経費の削減が可能であるという利点も有する。
【００１８】
以下、他の例を説明する。
潰し用凸部８と穴部９とは、必ずしも相互に嵌合対応する形状でなくともよい。潰し用凸部８を押し潰した時に、穴部９に対して係止する係止片１０が少なくとも一部に形成されれば足りるからである。このため、例えば図６に示したような、平面視円形の潰し用凸部８と、平面視長方形の穴部９であるもよい。このように潰し用凸部８と穴部９との形状を変えることによって、潰し用凸部８を押し潰したときに独特の意匠観を得ることができる。つまり、包装容器１に従来にない新規な美観を与え、購買意欲をそそることも可能である。また、全周に広がったのに比して係止力が弱いので、開封に手間は係らない。
【００１９】
また、穴部９は、中空柱状ではなく、図７に示したような貫通孔で形成するもよい。この場合も、前述のように各部の厚みを設定した場合と同様に、嵌合が容易に行なえ、見栄えのよい固定状態が得られる。そのうえ、穴部９を有する第２シート部５が前述のようにプラスチックシートでなくとも固定が可能である。
【００２０】
すなわち、例えば図８に示した包装容器１のような、従来は接着で行なっていた固定に代えることができる。この包装容器１は、紙製の背板部材１１の表面に、プラスチックシートからなる皿状のカバー部材１２を重合して固定するものであって、カバー部材１２の周縁の重合部３には、中空柱状の複数の潰し用凸部８を形成し、背板部材１１の重合部３の対応位置には、貫通孔からなる穴部９を形成している。
【００２１】
また、この発明の固定構造は、図９および図１０に示したような包装容器１にも適用できる。すなわちこの包装容器１は、プラスチックシートからなる２つ折り構造の容器本体１３の、反ヒンジ部側の口部位に、ラベル兼吊下部である板部材１４を挟むものである。
【００２２】
容器本体１３は、ヒンジ部２を挟んで第１シート部４と第２シート部５を有し、第１シート部４と第２シート部５の少なくとも一方に収納部６を形成し、第１シート部４の反ヒンジ部側に、中空柱状の２つの潰し用凸部８を形成している。第２シート部５には、前述の穴部９とは性質の異なる第２穴部１５を、中空柱状に形成している。つまり、この包装容器１では、口部位に挟む板部材１４に重合部３が設定され、前述の穴部と性質を同じくする、潰し用凸部８に嵌合対応する形状寸法の穴部９を形成している。
【００２３】
使用に際しては、収納部６に被包装物を収納した後、潰し用凸部８に板部材１４の穴部９を嵌合するとともに、第２シート部５の第２穴部１５を嵌合する。そして第２穴部１５の上から潰し用凸部８を押し潰し、図１０に示したような状態にする。潰し用凸部８が押し潰されて形成された係止片１０は、第２穴部１５の基部に係止するとともに、板部材１４の穴部９に係止して、３枚のシート状体（第１シート部４、板部材１４、第２シート部５）が一体に固定される。
【００２４】
これとは異なり、板部材１４に形成する穴部９が、潰し用凸部８に嵌合対応する形状寸法ではなく、大きい場合には、第２シート部５に重合部３が設定され、図１１に示したように、第２シート部５に形成した、中空柱状の、先の例でいう第２穴部１５が、穴部となる。
【００２５】
また、この発明は、以上の各実施例のような包装容器１のみではなく、例えば乾電池などのような円筒状の商品などに巻回するシートラベルにも適用できる。図１２はそのシートラベル１６を示しており、両端の重合部に、潰し用凸部８と穴部９とを形成している。この場合、図１３に示したように、穴部９を貫通孔で形成し、長さ方向に複数形成しておけば、径の異なる複数種類の商品に対応させることができる。
【００２６】
図１４は、開封が容易に行なえるようにした包装容器１を示している。すなわち、形成される係止片１０の周囲や、係止片１０よりも収納部側に、引っ張ることにより切り離し可能なミシン目１７を形成している。図中１８は、切れやすいようにする切り口である。
【００２７】
また、重合部３がプラスチックシートのみからなる場合で、柔軟な性質を有する場合には、前述の各実施例のように、潰し用凸部８と穴部９とをあらかじめ形成しておかずとも、図１４に示したようにすることで、容易に重合部３の固定が行なえる。すなわち、２枚のシート状体１９，２０の重合部３に［図１５（ａ）］、凹型を凸型とからなる一組のプレス手段（２１，２２）によりプレスして［図１５（ｂ）］、潰し用凸部８と穴部９とを、重合時に同時に形成する［図１５（ｃ）］。続いて別のプレス手段（２３，２４）により、潰し用凸部８を潰すべく、受け面２３に向けて押圧部材２４を押付け［図１５（ｄ）］、係止片１０を形成する［図１５（ｅ）］。これは、工業的に行なうほか、たとえばペンチ、あるいはホッチキスのような形態の専用の治具を用いることで、例えば従来ではホッチキスやテープを用いて行なっていたプラスチック製パックの閉鎖作業が、消耗品なしに行なえることになる。また、あらかじめ潰し用凸部８と穴部９とを形成しなくともよい分、成形費用を抑えることができる利点がある。
【００２８】
この発明のシート状体は、上述の一実施例の、第１シート部４、第２シート部５、背板部材１１、カバー部材１２、容器本体１３、板部材１４に対応する。
【図面の簡単な説明】
【図１】  包装容器の斜視図。
【図２】  要部の断面図。
【図３】  包装容器を閉じた状態の斜視図。
【図４】  潰し用凸部と穴部の断面図。
【図５】  潰し用凸部と穴部の断面図。
【図６】  他の例を示す平面図。
【図７】  他の例を示す断面図。
【図８】  他の例を示す分解斜視図。
【図９】  他の例を示す分解斜視図。
【図１０】  他の例を示す斜視図。
【図１１】  他の例を示す斜視図。
【図１２】  他の例を示す斜視図。
【図１３】  他の例を示す斜視図。
【図１４】  他の例を示す斜視図。
【図１５】  他の例を示す説明図。
【図１６】  従来技術を示す斜視図。
【符号の説明】
３…重合部
４…第１シート部
５…第２シート部
８…潰し用凸部
９…穴部
１０…係止片
１１…背板部材
１２…カバー部材
１３…容器本体
１４…板部材
１５…第２穴部
１９，２０…シート状体
Ｘ２…天板
【図１】
0003842326.tif 000002
【図２】
0003842326.tif 000003
【図３】
0003842326.tif 000004
【図４】
0003842326.tif 000005
【図５】
0003842326.tif 000006
【図６】
0003842326.tif 000007
【図７】
0003842326.tif 000008
【図８】
0003842326.tif 000009
【図９】
0003842326.tif 000010
【図１０】
0003842326.tif 000011
【図１１】
0003842326.tif 000012
【図１２】
0003842326.tif 000013
【図１３】
0003842326.tif 000014
【図１４】
0003842326.tif 000015
【図１５】
0003842326.tif 000016
【図１６】
0003842326.tif 000017